(57)【要約】  【課題】  装置サイズの小型化や省スペース化が可能であり、非接触通信媒体から情報を読み取る操作を行う際にも表示部の視認が可能であり、部品点数の増加や組立工程の複雑化を抑えることのできるリーダ装置を提供する。  【解決手段】  リーダ装置１は、ＩＣカード３等から情報を読み取る機能を備えている。このリーダ装置１の筐体２には、情報の読取り処理のための操作部４および表示部５が設けられており、筐体２の内部には基板８が配置されている。このリーダ装置１では、基板８上において操作部４に対応する部分の周囲に沿って、ループアンテナ１０が設けられている。【選択図】  図１
2010020383.tif 000002
【特許請求の範囲】
【請求項１】
非接触通信媒体から情報を読み取る機能を備えたリーダ装置であって、
前記情報の読取り処理のための表示部および操作部を上面に有する筐体と、
前記筐体の内部に配置された基板と、
前記基板上において、前記操作部に対応する部分の周囲に沿って設けられたアンテナと、
を備えたことを特徴とするリーダ装置。
【請求項２】
前記基板は、前記操作部の制御回路が実装された操作基板であり、
前記アンテナは、前記操作基板の縁部に設けられていることを特徴とする請求項１に記載のリーダ装置。
【請求項３】
前記操作部は、複数の入力キーを備えており、
前記複数の入力キーの間には、前記情報の読取り処理のための誘導用の点灯を行う誘導発光部が配置されていることを特徴とする請求項１または請求項２に記載のリーダ装置。
【請求項４】
前記誘導発光部は、前記操作部のバックライト用の点灯を行うバックライト発光部として兼用されることを特徴とする請求項３に記載のリーダ装置。
【発明の詳細な説明】
【技術分野】
【０００１】
本発明は、非接触通信媒体から情報を読み取る機能を備えたリーダ装置に関するものである。
【背景技術】
【０００２】
従来、非接触通信媒体（例えばＩＣカードなど）から情報を読み取るリーダ装置として、例えば、店舗などのカウンターなどに設置される決済端末装置が知られている（例えば特許文献１参照）。この決済端末装置は、ＩＣカードや携帯電話機等と非接触通信を行うことにより決済処理（支払い処理）をする機能を備えている。
【０００３】
この決済端末装置には、決済処理のためにＩＣカード等と非接触通信を行うためのアンテナ部（リーダライタ）が設けられている。また、決済端末装置には、決済処理のための操作（ＩＣカード等からのデータ読取り、テンキーからのデータ入力など）を行うための操作部（入力部）や、決済処理のための表示（決済処理結果の表示、決済処理エラーの表示など）を行うための表示部が設けられている。
【０００４】
このような決済端末装置では、ユーザがＩＣカード等をアンテナ部にかざすことにより、ＩＣカードから情報の読取りが行われ、ユーザが操作部から暗証番号などを入力することにより、本人確認が行われる。そして、表示部には、入力結果や決済処理結果などが表示される。
【特許文献１】特開２００８−９６８１号公報
【発明の開示】
【発明が解決しようとする課題】
【０００５】
しかしながら、従来の決済端末装置では、装置本体の上面に、操作部や表示部とは別の位置にアンテナ部が設けられている。そのため、このアンテナ部のためのスペースを確保する必要があり、その分だけ装置サイズの小型化や省スペース化が困難であるという問題があった。
【０００６】
そこで、装置本体の小型化や省スペース化を図るために、表示部の位置にアンテナ部を配置することも考えられるが、その場合には、ＩＣカードから情報を読み取る際、ＩＣカードをアンテナ部にかざしたときに、ＩＣカードによって表示部が隠されてしまい、ユーザが入力結果や決済処理結果などの表示を視認することができなくなる。
【０００７】
一方、装置本体の小型化や省スペース化を図るために、操作部の位置に単にアンテナ部を配置することも考えられるが、その場合に、操作部とは別部材としてアンテナ部を設けると、部品点数が増加し、部品の組立工程が複雑化するという問題があった。
【０００８】
本発明は、上記従来の問題を解決するためになされたもので、装置サイズの小型化や省スペース化が可能であり、非接触通信媒体から情報を読み取る操作を行う際にも表示部の視認が可能であり、部品点数の増加や組立工程の複雑化を抑えることができるリーダ装置を提供することを目的とする。
【課題を解決するための手段】
【０００９】
本発明のリーダ装置は、非接触通信媒体から情報を読み取る機能を備えたリーダ装置であって、前記情報の読取り処理のための表示部および操作部を上面に有する筐体と、前記筐体の内部に配置された基板と、前記基板上において、前記操作部に対応する部分の周囲に沿って設けられたアンテナと、を備えた構成を有している。
【００１０】
この構成により、操作部や表示部とは別の位置にアンテナが設けられた場合に比べて、装置サイズの小型や省スペース化が可能になる。この場合、表示部の位置にアンテナが設けられていないので、非接触通信媒体から情報を読み取る操作を行う際に表示部の視認が可能である。また、筐体の内部の基板上にアンテナが設けられ、基板をアンテナとして兼用しているので、部品点数の増加や組立工程の複雑化を抑えることができる。また、操作部に対応する部分の周囲に沿ってアンテナが設けられているので、基板のスペースを有効に利用してアンテナを大きくでき、非接触通信媒体との通信距離や読取り感度を向上することができる。
【００１１】
また、本発明のリーダ装置では、前記基板は、前記操作部の制御回路が実装された操作基板であり、前記アンテナは、前記操作基板の縁部に設けられている構成を有している。
【００１２】
この構成により、操作部の制御回路が実装された操作基板上にアンテナが設けられ、操作基板をアンテナとして兼用しているので、部品点数の増加や組立工程の複雑化を抑えることができる。また、操作基板の縁部にアンテナが設けられているので、操作基板のスペースを有効に利用してアンテナを大きくでき、非接触通信媒体との通信距離や読取り感度を向上することができる。
【００１３】
また、本発明のリーダ装置では、前記操作部は、複数の入力キーを備えており、前記複数の入力キーの間には、前記情報の読取り処理のための誘導用の点灯を行う誘導発光部が配置されている構成を有している。
【００１４】
この構成により、操作部の入力キーの間に配置された誘導発光部（例えばＬＥＤなど）の点灯によって、ユーザはアンテナの位置を容易に見つけることができる。
【００１５】
また、本発明のリーダ装置では、前記誘導発光部は、前記操作部のバックライト用の点灯を行うバックライト発光部として兼用される構成を有している。
【００１６】
この構成により、誘導発光部（例えばＬＥＤなど）が操作部のバックライト発光部として兼用されるので、バックライト用の発光部を別途設ける場合に比べて、部品点数を少なくすることができる。
【発明の効果】
【００１７】
本発明は、筐体の内部の基板上において操作部に対応する部分の周囲に沿った位置にアンテナを設けることにより、装置サイズの小型化や省スペース化が可能であり、非接触通信媒体から情報を読み取る操作を行う際にも表示部の視認が可能であり、部品点数の増加や組立工程の複雑化を抑えることができるという効果を有するリーダ装置を提供することができるものである。
【発明を実施するための最良の形態】
【００１８】
以下、本発明の実施の形態のリーダ装置について、図面を用いて説明する。本実施の形態では、店舗のカウンターなどに設置され、非接触通信媒体（ＩＣカードや携帯電話機など）を用いた決済処理等に用いられるリーダ装置の場合を例示する。このリーダ装置は、ＩＣカードや携帯電話機等と非接触通信を行って決済処理に必要な情報を読み取る機能を備えている。
【００１９】
本発明の実施の形態のリーダ装置の構成を図１〜図３を用いて説明する。図１は、本実施の形態のリーダ装置の構成を説明するための分解斜視図である。図２は、リーダ装置の斜視図であり、図３は、リーダ装置の一部切欠き断面図である。
【００２０】
図１〜図３に示すように、リーダ装置１の筐体２の上面には、ＩＣカード３や携帯電話機から情報を読み取って決済処理するときの操作を行うための操作部４と、その決済処理に関する情報の表示が行われる表示部５が設けられている。操作部４は、複数の入力キー６（「０」から「９」までのテンキー、クリアキー、ＯＫキーなど）を有する樹脂製の入力キー部材で構成されている。表示部５は、例えば液晶ディスプレイなどで構成されている。
【００２１】
リーダ装置１の筐体２の内部には、二つの基板（メイン基板７とキー基板８）が備えられている。メイン基板７には、表示部５の液晶ディスプレイやリーダ装置１の各種機能を実現するための制御回路等（図示せず）が実装されている。キー基板８には、操作部４の入力キー６に対応する位置にキー接点９が設けられており、また、操作部４の制御回路等（図示せず）が実装されている。ここでは、キー基板８が、本発明の操作基板に相当する。
【００２２】
このキー基板８には、操作部４に対応する部分（キー接点９が設けられた部分）の周囲に沿ってループアンテナ１０が設けられている。この場合、ループアンテナ１０が、キー基板８の縁部に（外周に沿って）設けられているともいえる。リーダ装置１は、このループアンテナ１０を用いてＩＣカード３や携帯電話機等と非接触通信を行い、ＩＣカード３や携帯電話機などから決済処理に必要な情報を読み取る。
【００２３】
また、このリーダ装置１では、操作部４の入力キー６の間に４つのＬＥＤ１１が配置されており、キー基板８には、４つのＬＥＤ１１に対応する位置にＬＥＤ接点１２が設けられている。このＬＥＤ１１は、後述するように、ＩＣカード３や携帯電話機から情報を読み取って決済処理するときに、ループアンテナ１０の位置を示す誘導用の点灯を行う（図４参照）。また、このＬＥＤ１１は、操作部４のバックライト用の点灯を行うバックライトＬＥＤとして兼用されている。なお、ここでは、ＬＥＤ１１の数が４つの場合を例示したが、ＬＥＤ１１の数はこれに限定されるものではない。
【００２４】
以上のように構成されたリーダ装置１について、図４および図５を用いてその動作を説明する。ここでは、ＩＣカード３から決済処理のための情報を読み取るときの動作を例示して説明する。
【００２５】
本発明の実施の形態のリーダ装置１を用いて、ＩＣカード３から決済処理のための情報の読取りを開始すると、図4に示すように、表示部５に「カードをかざしてください」という案内メッセージが表示されるとともに、操作部４のＬＥＤ１１によってループアンテナ１０の位置を示す誘導用の点灯が行われる。
【００２６】
次に、この表示部５の案内メッセージと操作部４のＬＥＤ１１の誘導用の点灯に従って、ユーザが操作部４の上にＩＣカード３をかざすと、ループアンテナ１０を用いてＩＣカード３との非接触通信が行われ、決済処理に必要な情報（例えば、本人認証用の情報）の読取りが行われる。そして、その処理（本人認証）が完了すると、図５に示すように、表示部５に「認証ＯＫ。ありがとうございました。」という処理結果のメッセージが表示される。なお、リーダ装置１は、このメッセージの表示とともに、処理結果を通知するための音（認証音など）が出るように構成されていてもよい。
【００２７】
このような本発明の実施の形態のリーダ装置１によれば、筐体２の内部の基板上において操作部４に対応する部分の周囲に沿った位置にループアンテナ１０を設けることにより、装置サイズの小型化や省スペース化が可能であり、ＩＣカード３や携帯電話機などの非接触通信媒体から情報を読み取る操作を行う際にも表示部５の視認が可能であり、部品点数の増加や組立工程の複雑化を抑えることができる。
【００２８】
すなわち、本実施の形態では、操作部４や表示部５とは別の位置にループアンテナ１０が設けられた場合に比べて、装置サイズの小型や省スペース化が可能になる。この場合、表示部５の位置にループアンテナ１０が設けられていないので、非接触通信媒体から情報を読み取る操作を行う際に表示部５の視認が可能である。また、筐体２の内部の基板上にループアンテナ１０が設けられ、基板をアンテナとして兼用しているので、部品点数の増加や組立工程の複雑化を抑えることができる。また、操作部４に対応する部分の周囲に沿ってループアンテナ１０が設けられているので、基板のスペースを有効に利用してループアンテナ１０のアンテナ長を大きくでき、非接触通信媒体との通信距離や読取り感度を向上することができる。
【００２９】
具体的には、操作部４の制御回路が実装されたキー基板８上にループアンテナ１０が設けられ、キー基板８を非接触通信用のアンテナとして兼用しているので、部品点数の増加や組立工程の複雑化を抑えることができる。また、キー基板８の縁部に（外周に沿って）ループアンテナ１０が設けられているので、キー基板８のスペースを有効に利用してループアンテナ１０のアンテナ長を大きくできる。したがって、ＩＣカード３や携帯電話機などの非接触通信媒体との通信距離や読取り感度を向上することができる。
【００３０】
また、本実施の形態では、操作部４の入力キー６の間に配置されたＬＥＤ１１の誘導用の点灯によって、ユーザはループアンテナ１０の位置（すなわち、ＩＣカードをかざすべき位置）を容易に見つけることができる。
【００３１】
また、本実施の形態では、誘導用のＬＥＤ１１が操作部４のバックライトＬＥＤとして兼用されるので、バックライト用のＬＥＤを別途設ける場合に比べて、部品点数を少なくすることができる。
【００３２】
以上、本発明の実施の形態を例示により説明したが、本発明の範囲はこれらに限定されるものではなく、請求項に記載された範囲内において目的に応じて変更・変形することが可能である。
【産業上の利用可能性】
【００３３】
以上のように、本発明にかかるリーダ装置は、装置サイズの小型化や省スペース化が可能であり、非接触通信媒体から情報を読み取る操作を行う際にも表示部の視認が可能であり、部品点数の増加や組立工程の複雑化を抑えることができるという効果を有し、店舗のカウンターなどに設置され、ＩＣカードや携帯電話機などを用いた決済処理等として有用である。
【図面の簡単な説明】
【００３４】
【図１】本発明の実施の形態におけるリーダ装置の分解斜視図
【図２】本発明の実施の形態におけるリーダ装置の斜視図
【図３】本発明の実施の形態におけるリーダ装置の一部切欠き断面図
【図４】本発明の実施の形態におけるリーダ装置の動作（誘導用の点灯）を説明するための図
【図５】本発明の実施の形態におけるリーダ装置の動作（処理結果表示）を説明するための図
【符号の説明】
【００３５】
１  リーダ装置
２  筐体
３  ＩＣカード
４  操作部
５  表示部
６  入力キー
７  メイン基板
８  キー基板
９  キー接点
１０  ループアンテナ
１１  ＬＥＤ
１２  ＬＥＤ接点
【図１】
2010020383.tif 000003
【図２】
2010020383.tif 000004
【図３】
2010020383.tif 000005
【図４】
2010020383.tif 000006
【図５】
2010020383.tif 000007